(57)【特許請求の範囲】
【請求項１】
室外側ハンドルとは独立して回動可能に設けられる室内側ハンドルと、扉から進退可能に設けられるラッチ部材と、前記室内側ハンドルの回動力を前記ラッチ部材の進退動に変換する錠前機構部と、を備えたアンチパニック式錠であって、
前記室内側ハンドルの回動軸部に沿ってスライド可能且つ前記室内側ハンドルと一体に回動可能に設けられるシャフトと、
該シャフトを室内側スライド方向に付勢する付勢部材と、
前記シャフトの室内側端部に設けられる操作部と、
前記シャフトの室外側端部に設けられる作用部と、
該作用部の周囲において該作用部に係合して前記シャフトのスライド動作に伴って該スライド方向と直交する方向にスライド可能に設けられる被動部と、
前記シャフトがスライド可能なように該シャフトの室外側端部側に連結されて前記室内側ハンドルの回動力を前記錠前機構部に伝達する伝達部材と、
を備え、前記操作部の未操作時には、前記被動部が前記付勢部材の付勢力により前記作用部の第１係合部に係合して前記室内側ハンドルの回動を規制する位置にスライドし、前記付勢部材の付勢力に抗して前記操作部が操作されると、前記被動部は前記作用部の第１係合部より室内側の第２係合部に係合して前記室内側ハンドルの回動を許容する位置にスライドすることを特徴とするアンチパニック式錠。
【請求項２】
前記第１係合部は前記第２係合部より太径に形成され、前記被動部が前記第１係合部に係合すると、該被動部が前記室内側ハンドルの回動軸部の外周面より外方に突出し、前記被動部が前記第２係合部に係合すると、該被動部が前記室内側ハンドルの回動軸部の外周面より外方に突出しないことを特徴とする請求項１に記載のアンチパニック式錠。
【請求項３】
前記第１係合部は前記第２係合部より細径に形成され、前記被動部は、前記作用部と係合する内側部分と、該内側部分の外側に設けられて該内側部分側に付勢される外側部分と、により形成され、前記被動部が前記第１係合部に係合すると、該被動部の内側部分が前記室内側ハンドルの回動軸部の外周面より内方に移動すると共に前記被動部の外側部分が前記室内側ハンドルの回動軸部の外周面より内方に突出して、前記被動部の内側部分と外側部分との境界面が前記室内側ハンドルの回動軸部の外周面と一致せず、前記被動部が前記第２係合部に係合すると、該被動部の内側部分と外側部分との境界面が前記室内側ハンドルの回動軸部の外周面と一致することを特徴とする請求項１に記載のアンチパニック式錠。
【発明の詳細な説明】
【技術分野】
【０００１】
本発明は、ホテルの客室等の扉に取り付けられるアンチパニック式錠に関する。
【背景技術】
【０００２】
一般に、ホテルの客室等の扉には、室外側からは施錠状態でも室内側からハンドルを回動させることによって自由に解錠状態にすることのできる、いわゆるアンチパニック式錠が取り付けられている。
【０００３】
従来のアンチパニック式錠は、室内側ハンドルと室外側ハンドルとにそれぞれ連結されて独立して回動可能な駆動カムと、該室外側ハンドルの駆動カムの回動のみを規制する施解錠手段と、制御装置と電気的に接続されて前記施解錠手段を駆動するソレノイドと、を備えており、扉を閉じると、制御装置からの施錠信号に基づき前記ソレノイドが作動し、前記室外側ハンドルの回動を規制すると共に前記室内側ハンドルの回動を許容するようになっている（例えば、特許文献１又は２参照）。
【先行技術文献】
【特許文献】
【０００４】
【特許文献１】特開平８−１２０９９０号公報
【特許文献２】特開平１０−４６８８４号公報
【発明の概要】
【発明が解決しようとする課題】
【０００５】
しかしながら、上記した従来のアンチパニック式錠は、室内側ハンドルを誰でも自由に回動させて解錠状態にすることができるようになっているため、子供等が勝手に室外に出てしまうことがあり、防犯上、好ましくないこともあった。
【０００６】
本発明は、上記した課題を解決すべくなされたものであり、操作部を操作しないと室内側ハンドルを回動させることができないようにすることにより、幼い子供等が勝手に室外に出てしまうのを防止し、防犯性の向上を図ることのできるアンチパニック式錠を提供することを目的とする。
【課題を解決するための手段】
【０００７】
本発明は、室外側ハンドルとは独立して回動可能に設けられる室内側ハンドルと、扉から進退可能に設けられるラッチ部材と、前記室内側ハンドルの回動力を前記ラッチ部材の進退動に変換する錠前機構部と、を備えたアンチパニック式錠であって、前記室内側ハンドルの回動軸部に沿ってスライド可能且つ前記室内側ハンドルと一体に回動可能に設けられるシャフトと、該シャフトを室内側スライド方向に付勢する付勢部材と、前記シャフトの室内側端部に設けられる操作部と、前記シャフトの室外側端部に設けられる作用部と、該作用部の周囲において該作用部と係合して前記シャフトのスライド動作に伴って該スライド方向と直交する方向にスライド可能に設けられる被動部と、前記シャフトがスライド可能なように該シャフトの室外側端部側に連結されて前記室内側ハンドルの回動力を前記錠前機構部に伝達する伝達部材と、を備え、前記操作部の未操作時には、前記被動部が前記付勢部材の付勢力により前記作用部の第１係合部に係合して前記室内側ハンドルの回動を規制する位置にスライドし、前記付勢部材の付勢力に抗して前記操作部が操作されると、前記被動部は前記作用部の第１係合部より室内側の第２係合部に係合して前記室内側ハンドルの回動を許容する位置にスライドすることを特徴とする。
【０００８】
また、本発明に係るアンチパニック式錠において、前記第１係合部は前記第２係合部より太径に形成され、前記被動部が前記第１係合部に係合すると、該被動部が前記室内側ハンドルの回動軸部の外周面より外方に突出し、前記被動部が前記第２係合部に係合すると、該被動部が前記室内側ハンドルの回動軸部の外周面より外方に突出しないことを特徴とする。
【０００９】
さらに、本発明に係るアンチパニック式錠において、前記第１係合部は前記第２係合部より細径に形成され、前記被動部は、前記作用部と係合する内側部分と、該内側部分の外側に設けられて該内側部分側に付勢される外側部分と、により形成され、前記被動部が前記第１係合部に係合すると、該被動部の内側部分が前記室内側ハンドルの回動軸部の外周面より内方に移動すると共に前記被動部の外側部分が前記室内側ハンドルの回動軸部の外周面より外方に突出して、前記被動部の内側部分と外側部分との境界面が前記室内側ハンドルの回動軸部の外周面と一致せず、前記被動部が前記第２係合部に係合すると、該被動部の内側部分と外側部分との境界面が前記室内側ハンドルの回動軸部の外周面と一致することを特徴とする。
【発明の効果】
【００１０】
本発明によれば、アンチパニック式錠の本来の機能を確保しつつ、幼い子供等が勝手に室外に出てしまうのを防止することができ、防犯性の向上を図ることができる等、種々の優れた効果を得ることができる。
【図面の簡単な説明】
【００１１】
【図１】本発明の第１及び第２の実施の形態に係るアンチパニック式錠の室内側操作機構部を示す正面図である。
【図２】本発明の第１の実施の形態に係るアンチパニック式錠における図１のＡ−Ａ断面図である。
【図３】本発明の第１の実施の形態に係るアンチパニック式錠を室外側から見た正面図である。
【図４】本発明の第２の実施の形態に係るアンチパニック式錠における図１のＡ−Ａ断面図である。
【図５】本発明の第２の実施の形態に係るアンチパニック式錠を室外側から見た正面図である。
【発明を実施するための形態】
【００１２】
以下、図面を参照しつつ、本発明の実施の形態について説明する。
先ず、図１〜図３を参照しつつ、本発明の第１の実施の形態に係るアンチパニック式錠について説明する。ここで、図１は本実施の形態に係るアンチパニック式錠の室内側操作機構部を示す正面図、図２は本実施の形態に係るアンチパニック式錠における図１のＡ−Ａ断面図、図３は本実施の形態に係るアンチパニック式錠を室外側から見た正面図であり、ストッパー部材より室外側の部材を取り外した状態を示している。
【００１３】
本実施の形態に係るアンチパニック式錠は、室内側操作機構部１００を備えており、この室内側操作機構部１００は、扉を挟んで室外側ケース（図示省略）に対向配置される室内側ハンドル座８に取り付けられる。
【００１４】
なお、本実施の形態に係るアンチパニック式錠は、この室内側操作機構部１００の他に、扉の小口から進退可能に設けられるラッチ部材と、室内側ハンドル１の回動力を前記ラッチ部材の進退動に変換する錠前機構部と、前記室外側ケースに取り付けられる室外側操作機構部と、を備えているが、これらの構成は、従来の公知なアンチパニック式錠と同様の構成を有しているため、ここでは図示及び詳細な説明を省略する。
【００１５】
室内側操作機構部１００は、室外側ハンドル（図示省略）とは独立して回動可能に設けられる室内側ハンドル１と、室内側ハンドル１の回動軸部１０に沿ってスライド可能且つ室内側ハンドル１と一体に回動可能に設けられるシャフト２と、シャフト２を室内側スライド方向に付勢する付勢部材としての圧縮バネ３と、シャフト２の室内側端部に取り付けられる操作部４と、シャフト２の室外側端部に形成される作用部５と、作用部５の周囲において該作用部５に係合してシャフト２のスライド動作に伴って該スライド方向と直交する方向にスライド可能に設けられる被動部６と、シャフト２がスライド可能なように該シャフト２の室外側端部側に連結されて室内側ハンドル１の回動力を前記錠前機構部に伝達する伝達部材としての角軸７と、を備えている。
【００１６】
室内側ハンドル１は、室内側ハンドル座８の表面に平行に設けられる細長形状の把持部９と、把持部９の一端側において把持部９と直角を成すように設けられて室内側ハンドル座８を貫通する回動軸部１０と、を備えている。
【００１７】
回動軸部１０は、外周部が室外側に向かって３箇所の段差部１１，１２，１３を介して４段階に縮径された略円筒形状を成している。回動軸部１０の最も小径の室外側外周部１５には、螺子部１６が形成されていると共に軸方向に直交する方向に貫通孔５３が形成されている。回動軸部１０の室外側外周部１５に隣接する２番目に小径の第２外周部１７には、シャフト２のスライド方向と直交する径方向に４個の被動部収容孔１４が放射状に形成されており、各被動部収容孔１４は互いに９０度の中心角を成している。
【００１８】
回動軸部１０の内部には、室内側から室外側に向かって順に、角柱形状の操作部収容部１８、操作部収容部１８より小径で円柱形状のバネ収容部１９、バネ収容部１９より小径で円柱形状のシャフト挿入部２０、シャフト挿入部２０より大径で角柱形状の伝達部材挿入部２１が軸方向に連続して形成されている。操作部収容部１８とバネ収容部１９との間、バネ収容部１９とシャフト挿入部２０との間、及びシャフト挿入部２０と伝達部材挿入部２１との間には、それぞれ第１〜第３段差部２２，２３，２４が形成されている。
【００１９】
シャフト２は、丸棒状を成し、室外側から回動軸部１０の内部に挿入可能なように形成されており、室内側端面に螺子孔２５が螺刻されている。
【００２０】
操作部４は、操作部収容部１８に収容される角柱形状の本体部２６と、本体部２６の室外側に段差部２７を形成するようにシャフト２の室内側端部に冠着される筒状部２８と、を備えている。本体部２６には、軸方向にシャフト２の螺子孔２５に対応するように螺子孔２９が螺刻されており、室内側から螺子孔２９，２５に螺子３０を螺入することにより操作部４がシャフト２の室内側端部に固定される。
【００２１】
圧縮バネ３は、シャフト２及び筒状部２８の周囲の隙間３１に配設されており、両端部が第２段差部２３と操作部４の段差部２７にそれぞれ当接している。
【００２２】
シャフト２の作用部５は、先端側の太径の第１係合部３２と、第１係合部３２より室内側に形成されて第１係合部３２より細径の第２係合部３３と、第２係合部３３より室内側に形成されて第１係合部３２と同径の膨出部３４と、により構成されており、第１係合部３２と第２係合部３３との間には傾斜面３５が形成されている。
【００２３】
被動部６は、両端が球面状に曲成されたピン状を成し、４箇所の被動部収容孔１４にそれぞれ径方向にスライド可能に収容されており、操作部４の未操作時には被動部６の内側端部が第１係合部３２に係合した状態に保持されるようになっている。
【００２４】
回動軸部１０の第２外周部１７の周囲には、被動部６に対応する位置にストッパー部材３６が設けられている。ストッパー部材３６は、回動軸部１０の第２外周部１７が挿通可能な挿通穴３７を有しており、挿通穴３７の外周には、４個の被動部６に対応する位置に係止凹部３８が形成されている。係止凹部３８は山型を成し、左右部分にはそれぞれ傾斜部４４が形成されている。
【００２５】
ストッパー部材３６の室内側にはワッシャー３９が重合するように設けられ、ストッパー部材３６の室外側には、カラー４０が重合するように設けられている。このカラー４０は、ストッパー部材３６の係止凹部３８を覆うように円環板状に形成されており、回動軸部１０の第２外周部１７が挿通可能な挿通穴４１を有している。
【００２６】
カラー４０の室外側には、円環状の樹脂製薄板４２を介在させて、座金部材４３が設けられている。座金部材４３は、略円環状に形成されており、回動軸部１０の室外側外周部１５が挿通可能な挿通穴を有している。
【００２７】
座金部材４３の室外側には、略円環状の締付部材４８が座金部材４３の平坦面に重合するように設けられている。締付部材４８の内縁部は回動軸部１０に螺合しており、回動軸部１０に対して締付部材４８を締付けることにより、ワッシャー３９、ストッパー部材３６、カラー４０、樹脂製薄板４２、座金部材４３、及び回動軸部１０が固定されるようになっている。
【００２８】
角軸７は、角棒状を成し、その室内側端部には作用部収容凹部５１が形成され、作用部収容凹部５１内でシャフト２の作用部５が軸方向にスライド可能となっている。角軸７のほぼ中央には、回動軸部１０の貫通孔５３に対応する位置に貫通孔５２が形成されており、貫通孔５２，５３にピン状の締結具５４を挿入することにより、角軸７が回動軸部１０に固定されるようになっている。
【００２９】
次に、室内側ハンドル１を操作した時の本実施の形態に係るアンチパニック式錠の作用について説明する。
【００３０】
先ず、操作部４を押圧操作しない場合、図２及び図３に示すように、圧縮バネ３の付勢力により、操作部４及びシャフト２が最も室内側にスライドし、各被動部６の内側端部が作用部５の第１係合部３２に係合すると共に、各被動部６の外側端部がストッパー部材３６の各係止凹部３８に係止することにより、室内側ハンドル１の回動が規制される。このように操作部４を押圧操作しない場合には室内側ハンドル１を回動させることができないため、幼い子供等が勝手に室外に出てしまうのを防止することができ、防犯性の向上を図ることができる。
【００３１】
これに対して、圧縮バネ３の付勢力に抗して操作部４を押圧操作すると、操作部４及びシャフト２が室外側にスライドし、各被動部６の内側端部が第１係合部３２から離間して第２係合部３３の上方又は下方に移動する。したがって、この状態で、室内側ハンドル１を回動させると、係止凹部３８の傾斜部４４が被動部６の外側端部に当接して被動部６を内側に押し込むため、被動部６は第２係合部３３に係合し、回動軸部１０の外周面より外方に突出しなくなる。これにより、各被動部６の外側端部とストッパー部材３６の各係止凹部３８との係止状態が解除され、室内側ハンドル１の回動が許容される。したがって、操作部４を押圧操作しながら室内側ハンドル１を回動させると、前記錠前機構部により室内側ハンドル１の回動力が前記ラッチ部材の扉の小口からの後退動に変換され、扉を解錠することができる。
【００３２】
次に、図１及び図４、５を参照しつつ、本発明の第２の実施の形態に係るアンチパニック式錠について説明する。ここで、図１は本実施の形態に係るアンチパニック式錠の室内側操作機構部を示す正面図、図４は本実施の形態に係るアンチパニック式錠における図１のＡ−Ａ断面図、図５は本実施の形態に係るアンチパニック式錠を室外側から見た正面図であり、ストッパー部材３６より室外側の部材を取り外した状態を示している。なお、以下の説明では、説明の簡略化のため、上記した本発明の第１の実施の形態に係るアンチパニック式錠と同等の構成については、図中、図２及び図３と同一の符号を付し、その詳細な説明は省略する。
【００３３】
本実施の形態に係るアンチパニック式錠は、シャフト２と、圧縮バネ３と、操作部４と、シャフト２の室外側端部に形成される作用部６０と、作用部６０に係合してシャフト２のスライド動作に伴って該スライド方向と直交する方向にスライド可能に設けられる４個の被動部６１と、角軸７と、を備えている。
【００３４】
シャフト２の作用部６０は、先端側の細径の第１係合部６２と、第１係合部６２より室内側に形成されて第１係合部６２より太径の第２係合部６３と、により構成されており、第１係合部６２と第２係合部６３との間には傾斜面６４が形成されている。
【００３５】
被動部６１は、内側部分６５と外側部分６６とに２分割されており、４箇所の被動部収容孔１４にそれぞれ径方向にスライド可能に収容されている。内側部分６５は、内側端部が球面状に曲成されると共に外側端部が平面状に形成されたピン状を成している。外側部分６６は、内側部分６５の外側端部と接触する内側端部が平面状に形成されたピン状を成しており、外側端部にはバネ収容凹部６７が形成されている。
【００３６】
回動軸部１０の周囲には、被動部６１に対応する位置にストッパー部材６８が設けられており、このストッパー部材６８は、回動軸部１０の第２外周部１７が挿通可能な挿通穴６９を有している。挿通穴６９の外周には、各被動部６１に対応する４箇所に係止凹部７０が形成されており、係止凹部７０とバネ収容凹部６７に収容されたバネ７１により被動部６１の外側部分６６は内側部材６５側に付勢されている。
【００３７】
次に、室内側ハンドル１を操作した時の本実施の形態に係るアンチパニック式錠の作用について説明する。
【００３８】
先ず、操作部４を押圧操作しない場合、図４に示すように、圧縮バネ３の付勢力により、操作部４及びシャフト２が最も室内側にスライドし、各被動部６１の内側部分６５の内側端部が作用部６０の第１係合部６２に係合して内側部分６５は回動軸部１０の第２外周部１７の外周面１７ａより内方の被動部収容孔１４内に移動すると共に、各被動部６１の外側部分６６の外側端部が第２外周部１７の外周面１７ａより外方に突出してストッパー部材６８の各係止凹部７０に係止した状態に保持される。この時、各被動部６１の内側部分６５と外側部分６６との境界面６１ａが第２外周部１７の外周面１７ａより内方に位置し、境界面６１ａと外周面１７ａとが一致しないため、被動部６１外側部分６６によって室内側ハンドル１の回動が規制される。このように操作部４を押圧操作しない場合には室内側ハンドル１を回動させることができないため、幼い子供等が勝手に室外に出てしまうのを防止することができ、防犯性の向上を図ることができる。
【００３９】
これに対して、圧縮バネ３の付勢力に抗して操作部４を押圧操作すると、図５に示すように、操作部４及びシャフト２が室外側にスライドし、各被動部６１の内側部分６５の内側端部が作用部６０の傾斜面６４に沿って摺動して第２係合部６３に係合すると共に、各被動部６１の外側部分６６がバネ７１の付勢力に抗して外方に移動しストッパー部材６８の各係止凹部７０に完全に入り込んだ状態となる。これにより、各被動部６１の内側部分６５と外側部分６６との境界面６１ａが第２外周部１７の外周面１７ａと一致するため、室内側ハンドル１の回動が許容される。したがって、操作部４を押圧操作しながら室内側ハンドル１を回動させると、前記錠前機構部により室内側ハンドル１の回動力が前記ラッチ部材の扉の小口からの後退動に変換され、扉を解錠することができる。
【００４０】
このように上記した本発明の第１及び第２の実施の形態に係るアンチパニック式錠によれば、室外側からは施錠状態でも操作部４を押圧しながら室内側ハンドル１の把持部９を回動させることによって解錠状態にすることができるため、アンチパニック式錠の本来の機能を確保しつつ、幼い子供等が勝手に室外に出てしまうのを防止することができ、防犯性を高めることができる。
【００４１】
また、上記した本発明の第１及び第２の実施の形態に係るアンチパニック式錠では、室内側から扉を解錠させる場合、操作部４を押圧操作する必要があるが、押圧操作自体が簡単な操作であると共に、操作部４が室内側ハンドル１の回動軸部１０の延長上に配設されているため、通常の大人や小学生以上の子供であれば、室内側ハンドル１の把持部９を手で把持する際に親指で簡単に操作部４を押圧操作することができる。したがって、従来のアンチパニック式錠と比べて、室内側からの解錠操作が難しくなることもない。
【００４２】
さらに、上記した本発明の第１及び第２の実施の形態に係るアンチパニック式錠では、作用部５，６０と係合する被動部６，６１が、操作部４の押圧操作によるシャフト２のスライド動作に伴って径方向にスライドするように構成されているため、ガタつきのない円滑な解錠動作を実現することができる。
【００４３】
なお、上記した本発明の第１及び第２の実施の形態の説明は、本発明に係るアンチパニック式錠における好適な実施の形態を説明しているため、技術的に好ましい種々の限定を付している場合もあるが、本発明の技術範囲は、特に本発明を限定する記載がない限り、これらの態様に限定されるものではない。すなわち、上記した本発明の第１及び第２の実施の形態における構成要素は適宜、既存の構成要素等との置き換えが可能であり、かつ、他の既存の構成要素との組合せを含む様々なバリエーションが可能であり、上記した本発明の実施の形態の記載をもって、特許請求の範囲に記載された発明の内容を限定するものではない。
【符号の説明】
【００４４】
１          室内側ハンドル
２          シャフト
３          圧縮バネ（付勢部材）
４          操作部
５          作用部
６          被動部
７          角軸（伝達部材）
１０        回動軸部
１７ａ      外周面
３２        第１係合部
３３        第２係合部
６０        作用部
６１        被動部
６１ａ      境界面
６２        第１係合部
６３        第２係合部
６５        内側部分
６６        外側部分
【図１】
0006026121.tif 000002
【図２】
0006026121.tif 000003
【図３】
0006026121.tif 000004
【図４】
0006026121.tif 000005
【図５】
0006026121.tif 000006